(57)【特許請求の範囲】
【請求項１】
交換局において、該交換局に在圏する移動端末の加入者プロファイルを変更する加入者プロファイル変更方法であって、
前記移動端末から前記加入者プロファイルの変更要求を受信するステップと、
前記変更要求に基づいて前記加入者プロファイルを変更し、変更前の加入者プロファイルを保持したホームメモリ局に送信することなく保持するステップと、
前記加入者プロファイルが変更されたという情報を保持するステップと、
前記ホームメモリ局からの信号による削除指示に応答して保持された前記加入者プロファイルを削除するステップと
を備え、前記削除するステップは、前記削除指示を受けた時点で前記加入者プロファイルが変更されたという情報を保持している場合に、保持された前記加入者プロファイルを変更前の加入者プロファイルを保持した前記ホームメモリ局に送信するステップを含むことを特徴とする加入者プロファイル変更方法。
【請求項２】
前記削除するステップは、前記交換局に対する操作による削除指示にさらに応答して保持された前記加入者プロファイルを削除することを特徴とする請求項１に記載の加入者プロファイル変更方法。
【請求項３】
交換局と、ホームメモリ局とを備えた移動通信システムにおいて、前記移動端末の加入者プロファイルを更新する加入者プロファイル更新方法であって、
前記移動端末が第１の交換局に在圏する間に、該第１の交換局が保持する前記加入者プロファイルが変更された場合には、前記第１の交換局において前記加入者プロファイルが変更されたという情報を保持するステップと、
前記移動端末の在圏する交換局が第２の交換局に変更になった場合に、前記第２の交換局から前記ホームメモリ局に、前記移動端末の位置登録の要求を送信するステップと、
前記移動端末の位置登録の要求を受信したホームメモリ局から前記第１の交換局に、保持している前記移動端末の加入者プロファイルの削除を要求するステップと、
前記削除の要求を受けた時点で、前記第１の交換局において前記加入者プロファイルが変更されたという情報を保持している場合には、
該加入者プロファイルを前記第１の交換局から前記ホームメモリ局に送信するステップと、
前記ホームメモリ局において、保持している前記加入者プロファイルを、受信した前記加入者プロファイルに更新するステップと、
前記第１の交換局において、保持している前記加入者プロファイルを削除するステップと、
前記ホームメモリ局から前記第２の交換局に、更新された前記加入者プロファイルを送信するステップと、
前記第２の交換局において、受信した前記加入者プロファイルを保持するステップと
を備えることを特徴とする加入者プロファイル更新方法。
【請求項４】
在圏する移動端末から、該移動端末の加入者プロファイルの変更要求を受信する手段と、
前記変更要求に基づいて前記加入者プロファイルを変更し、変更前の加入者プロファイルを保持したホームメモリ局に送信することなく保持する手段と、
前記加入者プロファイルが変更されたという情報を保持する手段と、
前記ホームメモリ局からの信号による削除指示に応答して前記加入者プロファイルを削除する手段と
を備え、前記削除する手段は、前記削除指示を受けた時点で前記加入者プロファイルが変更されたという情報を保持している場合に、保持された前記加入者プロファイルを、変更前の加入者プロファイルを保持した前記ホームメモリ局に送信する手段を含むことを特徴とする交換局。
【請求項５】
前記加入者プロファイルを削除する手段は、ユーザの操作による削除指示にさらに応答して前記加入者プロファイルを削除することを特徴とする請求項４に記載の交換局。
【請求項６】
交換局と、ホームメモリ局とを備えた移動通信システムであって、
前記交換局は、
自交換局に在圏する移動端末の加入者プロファイルが変更された場合に、前記加入者プロファイルが変更されたという情報を保持する手段と、
自交換局に在圏する前記移動端末が他交換局に在圏するようになった場合に、
前記ホームメモリ局から、前記移動端末の加入者プロファイルの削除要求を受信する手段と、
前記削除要求を受信した時点で前記加入者プロファイルが変更されたという情報を保持している場合に、前記削除要求に応答して、該加入者プロファイルを前記ホームメモリ局に送信する手段と、
保持している前記移動端末の加入者プロファイルを削除する手段と、
他交換局に在圏する前記移動端末が自交換局に在圏するようになった場合に、
前記ホームメモリ局から前記移動端末の加入者プロファイルを受信する手段と、
受信した前記移動端末の加入者プロファイルを保持する手段とを備え、
前記ホームメモリ局は、
前記移動端末の在圏する前記交換局が前記第１の交換局から前記第２の交換局に変更になった場合に、前記第１の交換局に前記移動端末の加入者プロファイルの削除要求を送信する手段と、
前記加入者プロファイルが変更されたという情報を前記第１の交換局が保持している場合に、該加入者プロファイルを前記第１の交換局から受信する手段と、
保持している前記加入者プロファイルを、受信した前記加入者プロファイルに更新する手段と、
前記第２の交換局に、前記更新する手段により更新された前記移動端末の加入者プロファイルを送信する手段とを備えたことを特徴とする移動通信システム。
【請求項７】
交換局と、ホームメモリ局とを備えた移動通信システムにおける交換局であって、
自交換局に在圏する移動端末の加入者プロファイルが変更された場合に、変更前の加入者プロファイルを保持したホームメモリ局に送信せずに前記加入者プロファイルが変更されたという情報を保持する手段と、
前記ホームメモリ局からの信号による前記移動端末の加入者プロファイルの削除要求を受ける手段と、
前記削除要求を受けた時点で前記加入者プロファイルが変更されたという情報を保持している場合に、
前記削除要求に応答して、該加入者プロファイルを変更前の加入者プロファイルを保持した前記ホームメモリ局に送信する手段と、
保持している前記移動端末の加入者プロファイルを削除する手段と、
他交換局に在圏する前記移動端末が自交換局に在圏するようになった場合に、
前記ホームメモリ局から前記移動端末の変更後の加入者プロファイルを受信する手段と、
受信した前記移動端末の加入者プロファイルを保持する手段と
を備えたことを特徴とする交換局。
【請求項８】
前記加入者プロファイルを削除する手段は、前記交換局に対する操作による前記移動端末の加入者プロファイルの削除要求をさらに受けることを特徴とする請求項７に記載の交換局。
【発明の詳細な説明】
【０００１】
【発明の属する技術分野】
本発明は、加入者プロファイル変更方法、加入者プロファイル更新方法、移動通信システムおよび交換局に関する。
【０００２】
【従来の技術】
図１は、移動端末の在圏する交換局に加入者プロファイルをダウンロードして通信を行う通信方式を説明するための図である。図１の例において、移動端末１０が交換局３１に在圏するようになると、交換局３１を介して位置登録を行う。その際、交換局３１は、移動端末１０の情報を得るために、ホームメモリ局２０から移動端末１０の加入者プロファイルをダウンロードする。加入者プロファイルとしては、個人情報、位置情報、サービス情報等が考えられる。
【０００３】
図２および図３は、従来技術における加入者プロファイルの変更処理例を説明するための図である。移動端末１０が交換局３１に自己の加入者プロファイルの変更要求を送信すると（図２の(a)）、交換局３１はホームメモリ局２０にその変更要求を送信する（図２および図３の(b)）。ホームメモリ局２０は、変更要求を受信すると、その変更要求に基づいて移動端末１０の加入者プロファイルを変更する（(c)）。そして、交換局３１に変更された加入者プロファイルを送信する（(d)）。交換局３１は、保持している移動端末１０の加入者プロファイルを、受信した加入者プロファイルに変更（更新）する（(e)）。変更したら、在圏局（交換局３１）で変更処理が完了したことをホームメモリ局２０に応答する（(f)）。この応答を受信すると、ホームメモリ局２０は交換局３１に加入者プロファイルの変更処理が完了したことを応答し（(g)）、交換局３１は移動端末１０に加入者プロファイルの変更処理が完了したことを応答する（(h)）。
【０００４】
以上の方法では、ホームメモリ局２０の加入者プロファイルを変更してから交換局３１の加入者プロファイルを変更するため、ホームメモリ局２０・交換局３１間で２往復分の局間信号が必要である。
【０００５】
このような処理にしている１つの理由は、移動端末１０が移動して新たな交換局に在圏するようになった場合に、ホームメモリ局２０から新たな交換局に加入者プロファイルを送信する必要があり、ホームメモリ局２０の情報が最新のものである必要があるからである。
【０００６】
図４および図５は、従来技術において移動端末が在圏する交換局が変わった後に、位置登録処理の変更要求があった場合の処理例を示す図である。在圏する交換局が交換局３１から交換局３２に変わった移動端末１０が、新在圏局である交換局３２に位置登録変更要求を送信したとする。交換局３２はその位置登録要求をホームメモリ局２０に送信する（図４および図５の(a)）。位置登録要求を受け取ると、ホームメモリ局２０は、旧在圏局である交換局３１に加入者プロファイルの削除要求を送信する（(b)）。この削除要求を受信すると、交換局３１は、加入者プロファイルの削除処理を行い（(c)）、削除完了応答をホームメモリ局２０に送信する（(d)）。削除完了応答を受信すると、ホームメモリ局２０は、位置登録要求に基づいて加入者プロファイルを変更し（(e)）、変更した加入者プロファイルを交換局３２に投入する（(f)）。その後、交換局３２とホームメモリ局２０との間で変更処理完了応答を送信しあう（(g)、(h)）。
【０００７】
【発明が解決しようとする課題】
このように、従来技術では加入者プロファイルの変更を行う際に、ホームメモリ局・交換局間で送受信される信号が多い。
【０００８】
そこで、本発明の目的は、加入者プロファイルの変更を行う際に、ホームメモリ局・交換局間で送受信される信号を少なくすることである。
【０００９】
【課題を解決するための手段】
上記目的を達成するために、請求項１に係る発明は、交換局において、該交換局に在圏する移動端末の加入者プロファイルを変更する加入者プロファイル変更方法であって、前記移動端末から前記加入者プロファイルの変更要求を受信するステップと、前記変更要求に基づいて前記加入者プロファイルを変更し、変更前の加入者プロファイルを保持したホームメモリ局に送信することなく保持するステップと、前記加入者プロファイルが変更されたという情報を保持するステップと、前記ホームメモリ局からの信号による削除指示に応答して保持された前記加入者プロファイルを削除するステップとを備え、前記削除するステップは、前記ホームメモリ局からの信号による削除指示を受けた時点で前記加入者プロファイルが変更されたという情報を保持している場合に、保持された前記加入者プロファイルを変更前の加入者プロファイルを保持した前記ホームメモリ局に送信するステップを含むことを特徴とする。
請求項２に記載の発明は、請求項１に記載の加入者プロファイル変更方法において、前記削除するステップは、前記交換局に対する操作による削除指示にさらに応答して保持された前記加入者プロファイルを削除することを特徴とする。
【００１０】
請求項３に記載の発明は、交換局と、ホームメモリ局とを備えた移動通信システムにおいて、前記移動端末の加入者プロファイルを更新する加入者プロファイル更新方法であって、前記移動端末が第１の交換局に在圏する間に、該第１の交換局が保持する前記加入者プロファイルが変更された場合には、前記第１の交換局において前記加入者プロファイルが変更されたという情報を保持するステップと、前記移動端末の在圏する交換局が第２の交換局に変更になった場合に、前記第２の交換局から前記ホームメモリ局に、前記移動端末の位置登録の要求を送信するステップと、前記移動端末の位置登録の要求を受信したホームメモリ局から前記第１の交換局に、保持している前記移動端末の加入者プロファイルの削除を要求するステップと、前記削除の要求を受けた時点で、前記第１の交換局において前記加入者プロファイルが変更されたという情報を保持している場合には、該加入者プロファイルを前記第１の交換局から前記ホームメモリ局に送信するステップと、前記ホームメモリ局において、保持している前記加入者プロファイルを、受信した前記加入者プロファイルに更新するステップと、前記第１の交換局において、保持している前記加入者プロファイルを削除するステップと、前記ホームメモリ局から前記第２の交換局に、更新された前記加入者プロファイルを送信するステップと、前記第２の交換局において、受信した前記加入者プロファイルを保持するステップとを備えることを特徴とする。
【００１２】
請求項４に記載の発明は、交換局であって、在圏する移動端末から、該移動端末の加入者プロファイルの変更要求を受信する手段と、前記変更要求に基づいて前記加入者プロファイルを変更し、変更前の加入者プロファイルを保持したホームメモリ局に送信することなく保持する手段と、前記加入者プロファイルが変更されたという情報を保持する手段と、前記ホームメモリ局からの信号による削除指示に応答して前記加入者プロファイルを削除する手段とを備え、前記削除する手段は、前記ホームメモリ局からの信号による削除指示を受けた時点で前記加入者プロファイルが変更されたという情報を保持している場合に、保持された前記加入者プロファイルを、変更前の加入者プロファイルを保持した前記ホームメモリ局に送信する手段を含むことを特徴とする。
請求項５に記載の発明は、請求項４に記載の交換局において、前記加入者プロファイルを削除する手段は、ユーザの操作による削除指示にさらに応答して前記加入者プロファイルを削除することを特徴とする。
【００１３】
請求項６に記載の発明は、交換局と、ホームメモリ局とを備えた移動通信システムであって、前記交換局は、自交換局に在圏する移動端末の加入者プロファイルが変更された場合に、前記加入者プロファイルが変更されたという情報を保持する手段と、自交換局に在圏する前記移動端末が他交換局に在圏するようになった場合に、前記ホームメモリ局から、前記移動端末の加入者プロファイルの削除要求を受信する手段と、前記削除要求を受信した時点で前記加入者プロファイルが変更されたという情報を保持している場合に、前記削除要求に応答して、該加入者プロファイルを前記ホームメモリ局に送信する手段と、保持している前記移動端末の加入者プロファイルを削除する手段と、他交換局に在圏する前記移動端末が自交換局に在圏するようになった場合に、前記ホームメモリ局から前記移動端末の加入者プロファイルを受信する手段と、受信した前記移動端末の加入者プロファイルを保持する手段とを備え、前記ホームメモリ局は、前記移動端末の在圏する前記交換局が前記第１の交換局から前記第２の交換局に変更になった場合に、前記第１の交換局に前記移動端末の加入者プロファイルの削除要求を送信する手段と、前記加入者プロファイルが変更されたという情報を前記第１の交換局が保持している場合に、該加入者プロファイルを前記第１の交換局から受信する手段と、保持している前記加入者プロファイルを、受信した前記加入者プロファイルに更新する手段と、前記第２の交換局に、前記更新する手段により更新された前記移動端末の加入者プロファイルを送信する手段とを備えたことを特徴とする。
【００１４】
請求項７に記載の発明は、交換局と、ホームメモリ局とを備えた移動通信システムにおける交換局であって、自交換局に在圏する移動端末の加入者プロファイルが変更された場合に、変更前の加入者プロファイルを保持したホームメモリ局に送信せずに前記加入者プロファイルが変更されたという情報を保持する手段と、前記ホームメモリ局からの信号による前記移動端末の加入者プロファイルの削除要求を受ける手段と、前記ホームメモリ局からの信号による削除要求を受けた時点で前記加入者プロファイルが変更されたという情報を保持している場合に、前記削除要求に応答して、該加入者プロファイルを変更前の加入者プロファイルを保持した前記ホームメモリ局に送信する手段と、保持している前記移動端末の加入者プロファイルを削除する手段と、他交換局に在圏する前記移動端末が自交換局に在圏するようになった場合に、前記ホームメモリ局から前記移動端末の変更後の加入者プロファイルを受信する手段と、受信した前記移動端末の加入者プロファイルを保持する手段とを備えたことを特徴とする。
請求項８に記載の発明は、請求項７に記載の交換局において、前記加入者プロファイルを削除する手段は、前記交換局に対する操作による前記移動端末の加入者プロファイルの削除要求をさらに受けることを特徴とする。
【００１９】
以上の構成によれば、加入者プロファイルの変更を行う際に、ホームメモリ局・交換局間で送受信される信号を少なくすることができる。
【００２０】
【発明の実施の形態】
以下、図面を参照しつつ本発明の実施の形態について詳しく説明する。
【００２１】
図６は、本発明の実施形態における加入者プロファイルの変更処理例を説明するための図である。移動端末１１０が交換局１３１に自己の加入者プロファイルの変更要求を送信すると（図６の(a)）、交換局１３１は、移動端末１１０の加入者プロファイルをその変更要求に基づいて変更し、保持する。さらに、変更を行った旨を表すフラグ（表示）を立てる。すなわち、例えば、フラグの初期値を０として、変更があった場合には１にする。このフラグにより、移動端末１１０が交換局１３１に在圏している間に加入者プロファイルが変更されたか否かがわかる。加入者プロファイルを変更した後、交換局１３１は移動端末１１０に変更処理完了応答を送信する（(c)）。
【００２２】
以上の方法によれば、移動端末が同じ交換局に在圏する限り、加入者プロファイルを変更しても、ホームメモリ局・交換局間で信号の送受信は行われない。
【００２３】
図７および図８は、本発明の実施形態において移動端末が在圏する交換局が変わった場合の処理例を示す図である。移動端末１１０が在圏する交換局が交換局１３１から交換局１３２に変わり（図７の(a)）、移動端末１１０から交換局１３２に位置登録要求が送信されると（図７および図８の(b)）、交換局１３２はホームメモリ局に位置登録要求を送信する（(c)）。位置登録要求を受信すると、ホームメモリ局１２０は、移動端末１１０の旧在圏局である交換局１３１に、移動端末１１０の加入者プロファイルを削除するように要求する（(d)）。交換局１３１では、加入者プロファイルを削除する前にフラグのチェックを行い、移動端末１１０が交換局１３１に在圏していた間に加入者プロファイルが変更されたか否かを調べる（(e)）。変更されていた場合、交換局１３１は、削除要求応答信号に加入者プロファイルを設定してホームメモリ局１２０に送信し（(f)）、ホームメモリ局１２０は、保持している加入者プロファイルを、受信した加入者プロファイルに更新し、保持する（(g)）。変更されていない場合には、交換局１３１からホームメモリ局１２０に削除要求応答信号が送信されるのみである。その後、ホームメモリ局１２０から新在圏局である交換局１３２に加入者プロファイルが投入される（(h)）。交換局１３２はこの加入者プロファイルを保持する。
【００２４】
図９および図１０は、本発明の実施形態において保守者等の起動により交換局の加入者プロファイルを削除する場合の処理例を示す図である。交換局１３１では、加入者プロファイルを削除する前に、その加入者プロファイルに対応する移動端末が交換局１３１に在圏している間に、加入者プロファイルが変更されたか否かを、フラグをチェックすることにより調べる（図９および図１０の(a)）。変更されていた場合、交換局１３１は、削除報告信号に加入者プロファイルを設定してホームメモリ局１２０に送信し（(b)）、ホームメモリ局１２０は、保持している加入者プロファイルを、受信した加入者プロファイルに更新し、保持する（(c)）。
【００２５】
以上の説明では、加入者プロファイルのすべてについて本発明を適用したが、加入者プロファイルの一部について本発明を適用し、残りについて従来技術を適用することもできる。これにより、サービスの差別化やプライオリティ付けが可能になる。例えば、どうしても消失してはならないデータ（例えば、着信転送先番号）については従来技術を適用して常に更新処理を行い、消失してもよいデータ（例えば、呼び出し秒数）については本発明を適用して必要なときのみデータの更新処理を行うようにすることができる。呼び出し秒数の情報は、デフォルト値で対応（提供）する事が可能なため、消失してもたいして問題にならないのが一般的である。
【００２６】
【発明の効果】
以上説明したように本発明によれば、加入者プロファイルの変更を行う際に、ホームメモリ局・交換局間で送受信される信号を少なくすることができる。
【図面の簡単な説明】
【図１】移動端末の在圏する交換局に加入者プロファイルをダウンロードして通信を行う通信方式を説明するための図である。
【図２】従来技術における加入者プロファイルの変更処理例を説明するための図である。
【図３】従来技術における加入者プロファイルの変更処理例を説明するための図である。
【図４】従来技術において移動端末が在圏する交換局が変わった後に、位置登録処理の変更要求があった場合の処理例を示す図である。
【図５】従来技術において移動端末が在圏する交換局が変わった後に、位置登録処理の変更要求があった場合の処理例を示す図である。
【図６】本発明の実施形態における加入者プロファイルの変更処理例を説明するための図である。
【図７】本発明の実施形態において移動端末が在圏する交換局が変わった場合の処理例を示す図である。
【図８】本発明の実施形態において移動端末が在圏する交換局が変わった場合の処理例を示す図である。
【図９】本発明の実施形態において保守者等の起動により交換局の加入者プロファイルを削除する場合の処理例を示す図である。
【図１０】本発明の実施形態において保守者等の起動により交換局の加入者プロファイルを削除する場合の処理例を示す図である。
【符号の説明】
１０、１１０  移動端末
２０、１２０  ホームメモリ局
３１、３２、１３１、１３２  交換局
【図１】
0004086460.tif 000002
【図２】
0004086460.tif 000003
【図３】
0004086460.tif 000004
【図４】
0004086460.tif 000005
【図５】
0004086460.tif 000006
【図６】
0004086460.tif 000007
【図７】
0004086460.tif 000008
【図８】
0004086460.tif 000009
【図９】
0004086460.tif 000010
【図１０】
0004086460.tif 000011